(57)【要約】【課題】組み立て作業の簡素化を実現することのできる縦格子状雨水タンクを提供する。【解決手段】縦格子状雨水タンク１は、上下方向に延在し、水平方向に配列された複数の筒状体２と、複数の筒状体２の下端部に取り付けられ、複数の筒状体２を連通させる連通部３と、複数の筒状体２のうち一つの筒状体２に取り付けられて、筒状体２内に溜まった水を外部に流出させる流出部４と、を備えている。【選択図】図３
2014240572.tif 000002
【特許請求の範囲】
【請求項１】
上下方向に延在し、水平方向に配列された複数の筒状体と、
複数の前記筒状体の下端部に取り付けられ、複数の前記筒状体を連通させる連通部と、
前記複数の筒状体のうち一つの筒状体に取り付けられて、前記筒状体内に溜まった水を外部に流出させる流出部と、を備えることを特徴とする縦格子状雨水タンク。
【請求項２】
請求項１記載の縦格子状雨水タンクにおいて、
前記複数の筒状体を少なくとも一つずつ覆う筒状のカバー部材を備えることを特徴とする縦格子状雨水タンク。
【請求項３】
請求項１又は２記載の縦格子状雨水タンクにおいて、
前記連通部には、当該連通部の内部を点検するための点検口が設けられていることを特徴とする縦格子状雨水タンク。
【請求項４】
請求項１〜３のいずれか一項に記載の縦格子状雨水タンクにおいて、
前記複数の筒状体のうち、一つの筒状体の上部には、当該筒状体内の水を排出する排出管が取り付けられており、
前記複数の筒状体のうち、前記排出管が取り付けられた筒状体とは別の筒状体の上部には、当該筒状体内の水を排出する副排出管が取り付けられており、
前記副排出管における前記筒状体との連結位置は、前記排出管における前記筒状体の連結位置よりも高位に配置されていることを特徴とする縦格子状雨水タンク。
【発明の詳細な説明】
【技術分野】
【０００１】
本発明は、縦格子状雨水タンクに係り、特に建物の外壁に対向して配置される縦格子状雨水タンクに関する。
【背景技術】
【０００２】
従来より、住宅の外壁に対向するように設置される縦格子においては、縦方向に延在する複数の筒状体が水平方向に配列されている。そして、これらの筒状体の内部に雨水を貯留する機能を有する縦格子状雨水タンクが知られている。（例えば特許文献１参照）。このような縦格子状雨水タンクにおいては、上下に分割されて隣り合う筒状体同士を筒状接続体によって連結するとともに、水平方向に隣り合う筒状接続体同士を通水可能に連結し、一つの蛇口でタンク内に溜まった水を取り出せるようになっている。
【先行技術文献】
【特許文献】
【０００３】
【特許文献１】特開２０１１−１１１７８１号公報
【発明の概要】
【発明が解決しようとする課題】
【０００４】
ところが、従来の縦格子状雨水タンクは、筒状体を上下に複数に分割して筒状接続体で連結したり、水平方向に隣り合う筒状接続体同士を通水可能に連結したりすると、どうしても複雑な構成となってしまい、組み立て作業の複雑化を招く一因となっている。また、比較的多くの部材を組み合わせた複雑な構成であるため、全体として取り扱いにくい場合がある。
このため、本発明の課題は、構成及び組み立て作業の簡素化を実現できるとともに、取り扱いも容易な縦格子状雨水タンクを提供することである。
【課題を解決するための手段】
【０００５】
請求項１記載の発明は、例えば図１〜図３に示すように、
上下方向に延在し、水平方向に配列された複数の筒状体２と、
複数の前記筒状体２の下端部に取り付けられ、複数の前記筒状体２を連通させる連通部３と、
前記複数の筒状体２のうち一つの筒状体２に取り付けられて、前記筒状体２内に溜まった水を外部に流出させる流出部４と、を備えることを特徴としている。
【０００６】
請求項１記載の発明によれば、複数の筒状体２の下端部に連通部３が取り付けられ、この連通部３によって複数の筒状体２が連通しているので、例えば上下に分割された筒状体同士を筒状接続体で連結したり、隣り合う筒状接続体同士を連結したりする構成よりも簡素な構成とすることができる。具体的には、複数の筒状体２の下端部を連通部３に取り付けるだけで、これらを一体化することができ、組み立て作業の簡素化を図ることができる。
また、組み立て後においても、全体としてパネル状となり扱いも容易となる。換言すれば、バラバラになりにくい一つの物として取り扱うことが可能となる。
そして、複数の筒状体２が水平方向に配列されているので、縦格子状雨水タンクを住宅の外壁に沿って設置する縦格子や、庭に設置する柵として用いることも可能である。
【０００７】
請求項２記載の発明は、請求項１記載の縦格子状雨水タンクにおいて、例えば図３に示すように、
前記複数の筒状体２を少なくとも一つずつ覆う筒状のカバー部材５１を備えることを特徴としている。
【０００８】
請求項２記載の発明によれば、カバー部材５１が複数の筒状体２を少なくとも一つずつ覆っているので、筒状体２よりも材料の自由度の高いカバー部材５１で外装をなすことができる。これによって、アルミニウムなどの金属や、木質用樹脂などの樹脂によってカバー部材５１を形成することができ、顧客の好みに応じた外装を提案することができる。
また、筒状体２は見栄えを考慮せずに耐水性の高い素材で形成すればよく、耐久性も高められることになる。
【０００９】
請求項３記載の発明は、請求項１又は２記載の縦格子状雨水タンクにおいて、
前記連通部３には、当該連通部３の内部を点検するための点検口３１２が設けられていることを特徴としている。
【００１０】
請求項３記載の発明によれば、連通部３の内部を点検するための点検口３１２が連通部３に設けられているので、連通部３内に溜まったゴミを点検口３１２から取り出すことができる。
【００１１】
請求項４記載の発明は、請求項１〜３のいずれか一項に記載の縦格子状雨水タンクにおいて、例えば図２に示すように、
前記複数の筒状体２のうち、一つの筒状体２の上部には、当該筒状体２内の水を排出する排出管６が取り付けられており、
前記複数の筒状体２のうち、前記排出管６が取り付けられた筒状体２とは別の筒状体２の上部には、当該筒状体２内の水を排出する副排出管７が取り付けられており、
前記副排出管７における前記筒状体２との連結位置は、前記排出管６における前記筒状体２の連結位置よりも高位に配置されていることを特徴としている。
【００１２】
請求項４記載の発明によれば、一つの筒状体２の上部に水を排出する排出管６が取り付けられているので、複数の筒状体２から水が溢れ出てしまうことを防止することができる。また、排出管６が筒状体２の上部に連結されているので、排出管６から水が排出されたとしても一定量の水を確保することができる。
さらに、排出管６が取り付けられた筒状体２とは別の筒状体２の上部に水を排出する副排出管７が取り付けられているので、大量の水が流れ込み排出管６だけで水の排出がまかないきれなくなったとしても、副排出管７で水の排出を補助することができる。
また、副排出管７における筒状体２との連結位置が、排出管６における筒状体２の連結位置よりも高位に配置されているので、通常時には排出管６のみから水が排出されることになる。
【発明の効果】
【００１３】
本発明によれば、構成及び組み立て作業の簡素化を実現できるとともに、取り扱いも容易な縦格子状雨水タンクを提供することができる。
【図面の簡単な説明】
【００１４】
【図１】本実施形態に係る縦格子状雨水タンクを備えた住宅の外観を示す正面図である。
【図２】図１の縦格子状雨水タンクの内部構成を示す正面図である。
【図３】図１の縦格子状雨水タンクの一部の概略構成を拡大して示す斜視図である。
【図４】図１の縦格子状雨水タンクの変形例を示す断面図である。
【発明を実施するための形態】
【００１５】
以下、図面を参照して本発明の実施の形態について説明する。
図１は本実施形態に係る縦格子状雨水タンク１を備えた住宅の外観を示す正面図である。図２は、図１の縦格子状雨水タンク１の内部構成を示す正面図である。なお、以下の説明においては、住宅１００の外壁１０１に近い側を後方、遠い側を前方とし、前後方向に水平に直交する方向を左右方向とする。
【００１６】
図１及び図２に示すように、縦格子状雨水タンク１は、住宅１００の外壁１０１に近接する位置で当該外壁１０１に沿うように配置されている。なお、当該外壁１０１には窓が設けられていてもよい。そして、このような窓の前方に縦格子状雨水タンク１を配置すれば、当該窓の目隠しができるので好ましい。
縦格子状雨水タンク１には、上下方向に延在する複数の筒状体２と、複数の筒状体２の下端部に取り付けられ、複数の筒状体２を連通させる連通部３と、複数の筒状体２のうち一つの筒状体２に取り付けられて、筒状体２内に溜まった水を外部に流出させる流出部４と、筒状体２及び連通部３を覆う外装部５とが備えられている。
【００１７】
図３は、縦格子状雨水タンク１の一部の概略構成を拡大して示す斜視図である。図３に示すように、二つの筒状体２が前後方向に並んで配置されており、これらを一組とすると、複数組の筒状体２が左右方向に所定の間隔を空けて配列されている。複数の筒状体２はいずれも上端が開放されている。
最も左側に配置された一組の筒状体２のうち前方の筒状体２の下部には、例えば蛇口などの流出部４が取り付けられている。他方、最も左側に配置された一組の筒状体のうち後方の筒状体２の上部には、当該筒状体２と連通し筒状体２内の水を排出する排出管６が取り付けられている。排出管６は流出部４よりも下方まで延出している。
【００１８】
図２に示すように、最も右側に配置された一組の筒状体２のうち一つの筒状体２の上部には、当該筒状体２に連通し筒状体２内の水を排出する副排出管７が設けられている。副排出管７は流出部４よりも下方まで延出している。副排出管７における筒状体２との連結位置は、排出管６における筒状体２との連結位置よりも高位に配置されている。
また、最も右側に配置された一組の筒状体２のうち一つの筒状体２には、住宅１００の樋１０２が連結されている。これにより、樋１０２を流れる雨水が前記筒状体２に流入するようになっている。
【００１９】
図３に示すように、連通部３には、左右方向（水平方向）に延在する筒状部材３１と、筒状部材３１と一組の筒状体２とを連通させるための複数のＹ字管３２とが備えられている。複数のＹ字管３２は左右方向に沿って所定の間隔を空けて配列されている。Ｙ字管３２の太さは、筒状体２とほぼ同じ太さに形成されている。筒状部材３１は、筒状体２よりも太く形成されている。筒状部材３１と筒状体２との合流部分、すなわちＹ字管３２の下部は、上方から見ると筒状部材３１の範囲内に収まるように配置されている。
このようにＹ字管３２を用いれば、筒状体２の総数よりも少ない数の孔を連通部３に設けるだけで、全ての筒状体２と連通部３とを連通させることができ、連通部３の強度低下を抑制することが可能である。
また、筒状部材３１の左右の両端部は閉塞されているが、少なくとも一方には開閉自在な蓋部材３１１が取り付けられている。この蓋部材３１１を開くことで筒状部材３１の内部を掃除することが可能となる。蓋部材３１１によって開閉する箇所が本発明に係る点検口３１２である。
【００２０】
外装部５には、一組毎に筒状体２を覆う複数のカバー部材５１と、カバー部材５１を支持するとともに連通部３を覆う基台部５２とが備えられている。
カバー部材５１はいずれも同じ大きさに形成されており、全体として統一感のある印象を与えている。カバー部材５１の上端部は当該カバー部材５１内部への水の浸入を防止するため閉塞されている。また、隣り合うカバー部材５１同士は上段、中段、下段に設けられた連結部材５３によって連結されている。ここで、最も右側に配置されたカバー部材５１は、一組の筒状体２とともに副排出管７も覆うようになっている。また、最も左側に配置されたカバー部材５１は一組の筒状体２とともに排出管６も覆うようになっている。そして、最も左側に配置されたカバー部材５１からは流出部４が突き出ている。
【００２１】
なお、筒状体２とＹ字管３２との連結部や、筒状体２と排出管６との連結部、筒状体２と副排出管７との連結部、筒状体２と流出部４との連結部等は、各種形状の環状継手部を介して連結されているものとする。
【００２２】
次に、本実施形態の作用について説明する。
樋１０２から筒状体２に水が流入すると、連通部３を介して全ての筒状体２に均等に水が溜まる。流出部４よりも高位まで水が溜まると、流出部４から水を流出させることができる。水が流入する際においては、水とともにゴミも筒状体２内に侵入してくる。このゴミは連通部３の筒状部材３１内に溜まっていく。このため、流出部４から流れ出る水はある程度浄化された状態となっている。
【００２３】
複数の筒状体２に水が溜まって排出管６の連結位置に達すると、水は排出管６を介して外部に排出される。また、樋１０２からの水の供給量が多い場合、排出管６のみでの排出では間に合わず、排出管６の連結位置よりも高位に水が溜まってしまう。この場合には、副排出管７の連結位置まで水が達すれば、水は副排出管７を介して外部に排出される。
【００２４】
以上のように、本実施形態によれば、複数の筒状体２の下端部に連通部３が取り付けられ、この連通部３によって複数の筒状体２が連通しているので、例えば上下に分割された筒状体同士を筒状接続体で連結したり、隣り合う筒状接続体同士を連結したりする構成よりも簡素な構成とすることができる。具体的には、複数の筒状体２の下端部を連通部３に取り付けるだけで、これらを一体化することができ、組み立て作業の簡素化を図ることができる。
また、組み立て後においても、全体としてパネル状となり扱いも容易となる。換言すれば、バラバラになりにくい一つの物として取り扱うことが可能となる。
そして、複数の筒状体２が水平方向に配列されているので、縦格子状雨水タンクを住宅の外壁に沿って設置する縦格子や、庭に設置する柵として用いることも可能である。
【００２５】
また、カバー部材５１が複数の筒状体２を少なくとも一つずつ覆っているので、筒状体２よりも材料の自由度の高いカバー部材５１で外装をなすことができる。これによって、アルミニウムなどの金属や、木質用樹脂などの樹脂によってカバー部材５１を形成することができ、顧客の好みに応じた外装を提案することができる。
また、筒状体２は見栄えを考慮せずに耐水性の高い素材で形成すればよく、耐久性も高められることになる。
【００２６】
また、連通部３の内部を点検するための点検口３１２が連通部３に設けられているので、連通部３内に溜まったゴミを点検口３１２から取り出すことができる。
【００２７】
また、筒状部材３１と筒状体２との合流部分が、上方から見ると筒状部材３１内に収まるように配置されているので、合流部分に水の流れを遮る段差ができず、ゴミ等の堆積が抑制される。これによってゴミ詰まりが発生しにくくなり、メンテナンスの頻度を抑制することができる。
また、一つの筒状体２の上部に水を排出する排出管６が取り付けられているので、複数の筒状体２から水が溢れ出てしまうことを防止することができる。また、排出管６が筒状体２の上部に連結されているので、排出管６から水が排出されたとしても一定量の水を確保することができる。
【００２８】
また、排出管６が取り付けられた筒状体２とは別の筒状体２の上部に水を排出する副排出管７が取り付けられているので、大量の水が流れ込み排出管６だけで水の排出がまかないきれなくなったとしても、副排出管７で水の排出を補助することができる。
また、副排出管７における筒状体２との連結位置が、排出管６における筒状体２の連結位置よりも高位に配置されているので、通常時には排出管６のみから水が排出されることになる。
また、複数の筒状体２の上端が開放されているので、筒状体２の内部が通気されることになり、スムーズに水を貯留することが可能となる。
【００２９】
なお、本発明は上記実施形態に限らず適宜変更可能である。以下の説明において上記実施形態の縦格子状雨水タンク１と同一の部分においては同一の符号を付してその説明を省略する。
例えば、上記実施形態では、縦格子状雨水タンク１が住宅１００の外壁１０１に近接した位置に配置されている場合を例示して説明したが、図４に示すように外壁１０１から離れた位置に縦格子状雨水タンク１Ａを配置することも可能である。
【００３０】
図４に示す縦格子状雨水タンク１Ａは、住宅１００の外壁から所定距離だけ離れて対向した位置に配置されている。この縦格子状雨水タンク１Ａは、地中に埋設された基礎８によって支持されている。また、樋１０２から連続する竪樋１０３には、地中に埋設されて縦格子状雨水タンク１Ａの筒状部材３１に連結される埋設管１０４がゴミフィルター１０５を介して連通している。これにより、樋１０２を流れる水は、竪樋１０３、ゴミフィルター１０５及び埋設管１０４を介して筒状部材３１に流入し、複数の筒状体２内に貯留されることになる。水中のゴミはゴミフィルター１０５によって除去される。
流出部４の近傍には、流出部４から流出した水を受けるようにプランター１０６が設けられている。縦格子状雨水タンク１Ａ内の水を簡単にプランター１０６に供給することができ、水耕栽培を容易に行う環境を提供することができる。
【００３１】
また、上記実施形態では、カバー部材５１が一組毎に筒状体２を覆う場合を例示して説明したが、カバー部材５１は少なくとも一つずつ筒状体２を覆っていればよい。
【００３２】
また、図示はしないが、縦格子状雨水タンク１に貯留された雨水を利用して植物の栽培を行うシステムを採用してもよい。この場合、植物への灌水の量を調節する機構等を適宜採用することが望ましい。
【符号の説明】
【００３３】
１，１Ａ      縦格子状雨水タンク
２      筒状体
３      連通部
４      流出部
５      外装部
６      排出管
７      副排出管
８      基礎
３１      筒状部材
３２      Ｙ字管
５１      カバー部材
５２      基台部
５３      連結部材
１００      住宅
１０１      外壁
１０２      樋
１０３      竪樋
１０４      埋設管
１０５      ゴミフィルター
１０６      プランター
３１１      蓋部材
３１２      点検口
【図１】
2014240572.tif 000003
【図２】
2014240572.tif 000004
【図３】
2014240572.tif 000005
【図４】
2014240572.tif 000006